(57)【要約】【課題】投球時及び打撃時の筋肉の動きに合わせて、緊締力の異なる素材を配置することで肩や腕の動きを積極的に向上させるアンダーシャツを提供する。【解決手段】主構成部分がストレッチ素材で形成され、着用者の上半身にほぼ密着した状態で着用される第１の素材と第２の素材及び第３の素材を含むアンダーシャツであって、第１の素材の緊締力は第２の素材の緊締力よりも強く、第２の素材の緊締力は第３の素材の緊締力よりも強く、第１の素材は上腕三頭筋の少なくとも一部を宛がう領域（１７ａ）を含む位置に配置され、第３の素材は肩甲骨付近の僧帽筋外側部の少なくとも一部、広背筋上部の少なくとも一部及び三角筋内側部の少なくとも一部を宛がう領域（１６）に配置され、第２の素材は第１の素材及び前記第３の素材を配置した領域以外の領域（１２，１３，１４，１５ａ）に配置されている。【選択図】　図１
2004044070.tif 000002
【特許請求の範囲】
【請求項１】
主構成部分がストレッチ素材で形成され、着用者の上半身の表面にほぼ密着した状態で着用される、第１の種類の素材と第２の種類の素材及び第３の種類の素材を含むアンダーシャツであって、
前記第１の種類の素材の緊締力は前記第２の種類の素材の緊締力よりも強く、前記第２の種類の素材の緊締力は前記第３の種類の素材の緊締力よりも強く、
前記第１の種類の素材は、上腕三頭筋の少なくとも一部を宛がう領域を含む位置に配置され、
前記第３の種類の素材は、肩甲骨付近の僧帽筋外側部の少なくとも一部、広背筋上部の少なくとも一部及び三角筋内側部の少なくとも一部を宛がう領域に配置され、
前記第２の種類の素材は、前記第１の種類の素材及び前記第３の種類の素材を配置した領域以外の領域に配置されていることを特徴とするアンダーシャツ。
【請求項２】
前記アンダーシャツが長袖又は半袖である請求項１に記載のアンダーシャツ。
【請求項３】
前記アンダーシャツが長袖であって、前記第１の種類の素材をさらに上腕三頭筋から肘を経て前腕に至る領域に配置した請求項２に記載のアンダーシャツ。
【請求項４】
前記第１と第２と第３の種類の素材は、縫製によって一体化されている請求項１に記載のアンダーシャツ。
【請求項５】
前記素材の５ｃｍ幅における４．９Ｎ（５００ｇｆ）加重時の伸長率が、前記第１の種類の素材の値をＡ１、前記第２の種類の素材の値をＢ１、前記第３の種類の素材の値をＣ１としたとき、Ａ１＜Ｂ１＜Ｃ１であり、かつ前記第１の種類の素材は２０％以上５０％未満の範囲、前記第３の種類の素材は８０％以上の範囲である請求項１に記載のアンダーシャツ。
【請求項６】
前記素材の５ｃｍ幅における１７．７Ｎ（１５００ｇｆ）加重時の伸長率が、前記第１の種類の素材の値をＡ２、前記第２の種類の素材の値をＢ２、前記第３の種類の素材の値をＣ２としたとき、Ａ２，Ｂ２，Ｃ２ともに５０％以上である請求項１に記載のアンダーシャツ。
【請求項７】
前記第１〜３の種類の素材は、縦方向及び横方向に伸縮する２ウェイストレッチ編物及び２ウェイストレッチ織物から選ばれる少なくとも一つの布帛である請求項１に記載のアンダーシャツ。
【請求項８】
前記２ウェイストレッチ編物又は織物は、ポリエステル繊維糸と弾性糸とを主成分構成糸とする請求項７に記載のアンダーシャツ。
【請求項９】
前記２ウェイストレッチ編物又は織物は、ナイロン繊維糸と弾性糸とを主成分構成糸とする請求項７に記載のアンダーシャツ。
【請求項１０】
前記編物が、ラッセル経編機によって編成される編物、トリコット経編機によって編成される編物及びニット緯編機によって編成される編物から選ばれる少なくとも一つの編物である請求項７に記載のアンダーシャツ。
【請求項１１】
前記ニット緯編み機によって編成される編物が、丸編機又は横編機によって編成される編物である請求項１０に記載のアンダーシャツ。
【請求項１２】
前記弾性糸が、ポリウレタン系弾性糸及びポリエステル系弾性糸から選ばれる少なくとも一つである請求項８に記載のアンダーシャツ。
【請求項１３】
前記弾性糸は、ベアヤーン（裸糸）又は表面にポリエステル繊維が被覆されたカバードヤーンである請求項８に記載のアンダーシャツ。
【請求項１４】
前記アンダーシャツが、野球のユニフォームの下に着るシャツである請求項１に記載のアンダーシャツ。
【請求項１５】
前記第１の種類の素材が、着用者の上腕三頭筋上端付近で終端し、着用者のひじが投球動作中に曲げられたときに伸長するように構成されている請求項１に記載のアンダーシャツ。
【請求項１６】
前記第３の種類の素材が、着用者の肩甲骨付近に位置し、肩を回しやすくさせるように構成されている請求項１に記載のアンダーシャツ。
【請求項１７】
前記第２の種類の素材が、着用者の肩甲骨付近を宛がう第３の種類の素材の領域の間を脊椎に沿って延在するように構成されている請求項１に記載のアンダーシャツ。
【請求項１８】
主構成部分がストレッチ素材で形成され、着用者の上半身の表面にほぼ密着した状態で着用される、第１の種類の素材と第２の種類の素材及び第３の種類の素材を含むアンダーシャツであって、
前記第１の種類の素材の緊締力は前記第２の種類の素材の緊締力よりも強く、前記第２の種類の素材の緊締力は前記第３の種類の素材の緊締力よりも強く、
前記第１の種類の素材は、上腕三頭筋の少なくとも一部を宛がう領域を含む位置に配置され、着用者の上腕三頭筋上端付近で終端し、着用者のひじが投球動作中に曲げられたときに伸長するように構成されており、
前記第３の種類の素材は、肩甲骨付近の僧帽筋外側部の少なくとも一部、広背筋上部の少なくとも一部及び三角筋内側部の少なくとも一部を宛がう領域に配置され、
前記第２の種類の素材は、前記第１の種類の素材及び前記第３の種類の素材を配置した領域以外の領域に配置されていることを特徴とするアンダーシャツ。
【請求項１９】
前記第３の種類の素材が、着用者の肩甲骨付近に位置し、肩を回しやすくさせるように構成されている請求項１８に記載のアンダーシャツ。
【請求項２０】
前記第２の種類の素材が、着用者の肩甲骨付近を宛がう第３の種類の素材の領域の間を脊椎に沿って延在するように構成されている請求項１８に記載のアンダーシャツ。
【発明の詳細な説明】
【０００１】
【発明の属する技術分野】
本発明は、着用者の上半身の表面にほぼ密着した状態で着用されるアンダーシャツに関するものであり、特に野球用アンダーシャツにおいて、投球動作及び打撃動作をより行ない易くしたシャツに関するものである。
【０００２】
【従来の技術】
従来、野球用アンダーシャツは、下記のような生地が提案されている。
（１）身頃は綿主体で袖はアクリル１００％で構成された生地。
（２）身頃、袖とも表地はポリエステルフィラメント、裏地は綿とポリエステルフィラメントで構成され、表裏両面に吸汗加工が施された生地を使用した生地。
（３）身頃、袖ともポリエステルフィラメント１００％で構成され、吸汗加工を施された生地。
【０００３】
前記従来の各種アンダーシャツは、ある程度伸縮性があり吸汗性の高い生地を用いている。また、衣服形状はゆとり率の比較的大きく、肌にぴったりフィットしていないか、または密着していないシルエットで、大別して前身頃、後身頃、両袖の４パーツで構成されている。用途によって、半袖、長袖、ハイネック、タートルネック等の形状の違いはあるが、衣服の機能としては、運動中、運動後の汗処理や防寒等の着用時の快適性追求を中心としたものであった。
【０００４】
なかには、アンダーシャツの全部、もしくは一部を構成する素材の軽量感、伸縮性を強調して、運動時の機能性向上を目的としたものもある。例えば、腕部分や肩部分に伸縮性の高い素材を用いることで、腕の振り易さを目的としたアンダーシャツも見られる。しかし、それらはただ動きやすいだけで、着用者の運動を積極的に補助するものではなかった。
【０００５】
また、下記特許文献１には、伸縮性布地のシャツで、シャツ後部では僧帽筋上部の肩峰側の端近傍部分から肩甲骨内上角近傍を通り、第７胸椎〜第９胸椎のいずれかの近傍を通って逆の脇側の肋骨下部近傍に至る強緊締力部と、シャツ前部では三角筋の遠位部分に相当する部分の近傍から三角筋相当部分の縁近傍を通って首開口のやや脇側の縁のシャツ上端部分近傍で終了し、シャツ後部では三角筋遠位相当部分近傍から三角筋相当部分の縁近傍を通って第７頸椎相当部分から第３胸椎相当部分の間に至り、この部分で更に左右対称に同様に反対側にも延びている強緊締力部とを有する肩及び上肢部保護衣料が提案されている。これは肩関節やその近傍の筋肉の障害などが生じたときに関連する筋肉部分や骨を強くサポートし、障害の予防や治療の促進に有効で、素人にも簡単に適正な装着ができ、簡単にテーピング効果が得られるシャツであり、野球のピッチャー等が着用した場合にもそのような効果が得られる。
【０００６】
【特許文献１】
特許第３１１５８１６号公報
【０００７】
【発明が解決しようとする課題】
しかし、前記従来の野球用アンダーシャツは、運動中、運動後の汗処理や防寒等の着用時の快適性追求を中心としたものが多く、運動機能性をうたっていても、それは使用生地の軽量感、伸縮性のみに頼ったもので、着用者の運動機能性を積極的に補助するものではなかった。また、前記特許文献１に提案されている発明は、あくまで関節、筋肉の障害予防、治療の促進に有効なものであって、野球における動きで重要な投球、打撃時等の腕、肩部の動きを積極的に向上させるものではなかった。特に投球によるボールのスピードは、必要な筋肉からできるだけ大きなパワーを生み出し、しかもそれを手から放たれるボールに如何に効率よく伝えられるかによって決まるので、肩や腕の動きを積極的に向上させる機能を有する野球用アンダーシャツが求められていた。
【０００８】
本発明は、前記従来の問題を解決するため、投球時及び打撃時の筋肉の動きに合わせて、部位によって緊締力の異なる素材を配置することで肩や腕の動きを積極的に向上させる野球用アンダーシャツを提供することを目的とする。
【０００９】
【課題を解決するための手段】
前記目的を達成するため、本発明のアンダーシャツは、主構成部分がストレッチ素材で形成され、着用者の上半身の表面にほぼ密着した状態で着用される、第１の種類の素材と第２の種類の素材及び第３の種類の素材を含むアンダーシャツであって、
前記第１の種類の素材の緊締力は前記第２の種類の素材の緊締力よりも強く、前記第２の種類の素材の緊締力は前記第３の種類の素材の緊締力よりも強く、
前記第１の種類の素材は、上腕三頭筋の少なくとも一部を宛がう領域を含む位置に配置され、
前記第３の種類の素材は、肩甲骨付近の僧帽筋外側部の少なくとも一部、広背筋上部の少なくとも一部及び三角筋内側部の少なくとも一部を宛がう領域に配置され、
前記第２の種類の素材は、前記第１の種類の素材及び前記第３の種類の素材を配置した領域以外の領域に配置されていることを特徴とする。
【００１０】
本発明の別のアンダーシャツは主構成部分がストレッチ素材で形成され、着用者の上半身の表面にほぼ密着した状態で着用される、第１の種類の素材と第２の種類の素材及び第３の種類の素材を含むアンダーシャツであって、
前記第１の種類の素材の緊締力は前記第２の種類の素材の緊締力よりも強く、前記第２の種類の素材の緊締力は前記第３の種類の素材の緊締力よりも強く、
前記第１の種類の素材は、上腕三頭筋の少なくとも一部を宛がう領域を含む位置に配置され、着用者の上腕三頭筋上端付近で終端し、着用者のひじが投球動作中に曲げられたときに伸長するように構成されており、
前記第３の種類の素材は、肩甲骨付近の僧帽筋外側部の少なくとも一部、広背筋上部の少なくとも一部及び三角筋内側部の少なくとも一部を宛がう領域に配置され、
前記第２の種類の素材は、前記第１の種類の素材及び前記第３の種類の素材を配置した領域以外の領域に配置されていることを特徴とする。
【００１１】
【発明の実施の形態】
まず、野球の投球時における上肢部の筋肉の動きを説明するために、肩付近の筋肉の構造と役割について説明する。投球時の肩付近の筋肉、骨格の動きは肩を回すことと腕を振るという二つの動きに大別される。投球時に特に留意しなければならないのは、肩甲骨後部の棘上筋、棘下筋、小円筋、肩甲骨前部の肩甲下筋でこれらは、インナーマッスルと呼ばれ、肩の骨格近傍に位置し、肩を回す際に、肩関節の安定保持の役割を果たす。インナーマッスルの外側には、肩甲骨後部の広背筋、肩上部の僧帽筋、肩下部の三角筋、上腕後上部の上腕三頭筋が存在し、これらはアウターマッスルと呼ばれ、肩を回し腕を動かすための役割を果たす。投球動作はこれらのインナーマッスルとアウターマッスルの相乗的な働きで成立するが、インナーマッスルは基本的に体表面を構成しない筋肉なので、着用するウエアによる影響は小さいと考えられる。よって、ウエアに接するアウターマッスルの動き、特に図４に示すように、肩甲骨７０付近の筋肉であって、肩甲骨７０の動きに付随して動く、僧帽筋外側部７１、広背筋上部７２及び三角筋内側部７３の領域の筋肉と上腕後上部の上腕三頭筋７４の動きが重要である。これらの筋肉の動きとこれらの筋肉に該当する領域に配置する素材を鋭意研究することで、本発明に至った。
【００１２】
本発明の説明に用いる僧帽筋外側部７１とは、後頚部から肩そして背部にまで広がり、頭部や背筋を安定させ、肩甲骨を動かし固定する僧帽筋のうち、図４に示すように肩甲骨付近で肩甲骨の動きに付随して動く領域のことである。
【００１３】
広背筋上部７２とは、脇の下から背中全体に広がり、脊柱の位置を決め、上体を保つために必要な広背筋のうち、図４に示すように肩甲骨付近で肩甲骨の動きに付随して動く領域のことである。
【００１４】
三角筋内側部７３とは、肩から上腕の上部にかけてふくらみをつけ、肩甲骨、鎖骨と上腕骨とを結び、肩の関節を回旋させ腕を持ち上げる役割を果たす三角筋のうち、図４に示すように肩甲骨付近で肩甲骨の動きに付随して動く領域のことである。
【００１５】
本発明では肩甲骨７０付近の領域を、前記三種類の筋肉の各部分で特定している。しかし、実際には前記三種類の筋肉以外にも大円筋、小円筋、棘下筋等の筋肉も肩甲骨付近の領域には見られるが、本発明ではそれらの筋肉は、広背筋上部７２に含まれるものとする。
【００１６】
本発明に至った投球時の筋肉の動きとアンダーシャツに配置すべき素材と構造について説明する。
【００１７】
投球時に肩を回す際に、肩甲骨は背中中央部付近から腕方向へスライドするがごとく移動し、その動きに付随して肩甲骨付近の筋肉である僧帽筋外側部、広背筋上部、三角筋内側部の領域の筋肉も移動する。これら筋肉の移動がスムーズであれば肩を回しやすく、同時に図３Ａに示す投球のトップ、すなわち、ボールを握った手が最も高い所に来る位置を造りやすくなる。従って、アンダーシャツを構成する際は、この肩甲骨付近の僧帽筋外側部、広背筋上部、三角筋内側部の領域には、筋肉の移動を妨げることのないように弱い力で伸長するやわらかい生地素材（以下、「弱緊締素材」という。）を配置する必要がある。
【００１８】
次に、腕を振るにしたがい上腕三頭筋が縮んだ状態から伸びた状態へと変化していき、図３Ｂに示す、投球中の腕の外旋方向へのしなりが最大になる位置（以下、「上腕の最大外旋位」という。）で上腕三頭筋が最大伸びた状態になる。図３Ｂでは白抜き矢印で、上腕三頭筋が最大伸びた状態を表示している。この状態から上肢の肘より先（以下、「前腕」という。）を加速していくにつれて、上腕三頭筋は伸びた状態から次第に縮んだ状態へと戻っていき、図３Ｃに示すリリース位置に至るとボールを離し投球する。
【００１９】
このとき、アンダーシャツの上腕三頭筋から肘を経由して前腕に至る領域に、強い力でないと伸長しない第１の種類の生地素材（以下、「強緊締素材」ともいう。）を配置すると、図３Ｂに示す上腕の最大外旋位までは生地素材が肘の出っ張りを支点に伸長され、伸長した生地素材が収縮しようとする強い力が前腕を加速しようとする力、すなわち図３Ｂに示す状態から図３Ｃに示す状態に移行する際に上腕三頭筋が縮もうとする力に相乗され、前腕の動きを助ける働きを有する。
【００２０】
また、同時に強緊締素材に起因する衣服圧によって、上腕三頭筋が刺激を受け活性化し、腕を振り易くなる効果も得られる。
【００２１】
本発明に係るアンダーシャツでは前記のように、肩甲骨付近の僧帽筋外側部、広背筋上部、三角筋内側部の領域には、弱緊締素材を配置し、上腕三頭筋から肘を経て前腕に至る領域には強緊締素材を配置し、その他の領域には、中くらいの力で伸長する第２の種類の生地素材（以下、「中緊締素材」ともいう。）を配置することで、肩甲骨付近の僧帽筋外側部、広背筋上部、三角筋内側部の領域の筋肉と上腕三頭筋との動きを、前記説明したとおり積極的に向上させることが可能になる。この作用は、着用者の上半身の表面にほぼ密着した状態で着用されることにより、発揮できる。
【００２２】
また、前記説明した投球時の動きだけでなく打撃時においても、肩の回転や腕の動きが、投球時に比べれば可動領域が小さいものの、肩甲骨付近の僧帽筋外側部、広背筋上部、三角筋内側部の領域と上腕三頭筋付近に着目すれば、投球時と同様な動きをしており、前記のように生地素材を配置することで、打撃時の動きも補助するアンダーシャツとすることができる。
【００２３】
本発明において、第３の種類の生地素材は、「弱緊締素材」ともいう。
【００２４】
本発明において、「ほぼ密着」の状態を作るには、人体の裸のサイズに対して、周囲方向は５０％以上１１０％以下、さらに好ましくは７０％以上９５％以下、丈は７５％以上１００％以下、さらに好ましくは８５％以上１００％以下としてアンダーシャツを形成する。もちろん人体のサイズは個人差があるので、前記の比率は目安である。
【００２５】
本発明において、「主構成部分」とは、アンダーシャツを構成する身生地部と袖部分をいう。また、強緊締素材は上腕三頭筋の少なくとも一部を宛がう領域を含む位置に配置されるが、上腕三頭筋の全部を宛がう領域に配置されても良い。同様に、弱緊締素材は肩甲骨付近の僧帽筋外側部の全部、広背筋上部の全部及び三角筋内側部の全部を宛がう領域に配置されても良い。
【００２６】
前記アンダーシャツは長袖又は半袖であってもよい。長袖の場合は、強緊締素材をさらに上腕三頭筋から肘を経て前腕に至る領域に配置してもよい。
【００２７】
前記強緊締素材、中緊締素材及び弱緊締素材は、縫製によって一体化されていることが好ましい。しかし、緯編物の場合は、後に説明するように一体編成することもできる。
【００２８】
本発明の前記強緊締素材、中緊締素材及び弱緊締素材は、ストレッチ素材であり、５ｃｍ幅における４．９Ｎ（５００ｇｆ）加重時の伸長率が、強緊締素材の値をＡ１、中緊締素材の値をＢ１、弱緊締素材の値をＣ１としたとき、Ａ１＜Ｂ１＜Ｃ１であり、かつ強緊締素材は２０％以上５０％未満の範囲、弱緊締素材は８０％以上の範囲であることが好ましい。また、前記素材の５ｃｍ幅における１７．７Ｎ（１５００ｇｆ）加重時の伸長率が、強緊締素材の値をＡ２、中緊締素材の値をＢ２、弱緊締素材の値をＣ２としたとき、Ａ２，Ｂ２，Ｃ２ともに５０％以上であることが好ましい。このような各部分のストレッチ特性を出すためには、後に説明する例えば弾性糸を編物又は織物の構成糸に用いた場合、一例として次のような手段で達成できる。
（１）強緊締素材には中及び弱緊締素材に比べて、弾性糸の構成比率を高くする。
（２）強緊締素材には中及び弱緊締素材に比べて、弾性糸の繊度を太くする。
（３）強緊締素材には中及び弱緊締素材に比べて、織物の場合は経糸及び／又は緯糸密度を高くし、編み物の場合は編み密度を高くする。
（４）強緊締素材には中及び弱緊締素材に比べて、弾性糸の張力を高くして織物または編物を製造する。
（５）強緊締素材には中及び弱緊締素材に比べて、生地の厚さを厚くして織物または編物を製造する。
【００２９】
本発明のストレッチ素材は、縦方向及び横方向に伸縮する２ウェイストレッチ編物及び２ウェイストレッチ織物から選ばれる少なくとも一つの布帛であることが好ましい。
【００３０】
前記２ウェイストレッチ編物又は織物は、ポリエステル繊維糸と弾性糸とを主成分構成糸とするか、またはナイロン繊維糸と弾性糸とを主成分構成糸としてもよい。ここで、主成分構成糸とは、両成分を合計すると８０重量％以上になることをいう。ポリエステル繊維糸を用いた場合は、汗をかいても乾き易い。ナイロン繊維糸を用いた場合は、軟らかなタッチの編物となる。
【００３１】
前記編物又は織物の組織はどのようなものであっても良い。織物としては一般的に良く知られている平織、斜文織、朱子織の３原組織の他、変化織であってもよい。また、編物として一般的に良く知られているラッセル経編機によって編成される編物、トリコット経編機によって編成される編物及びニット緯編み機によって編成される編物等であっても良い。例えば、トリコット経編機によって編成されるハーフ組織の編物やラッセル経編機によって編成されるパワーネット組織の編物等を挙げることができる。ニット緯編物としては、例えば平編（天竺編）、ゴム編、パール編、スムース編（両面編）等どのような組織でも良い。また、ニット緯編み機によって編成される編物は、丸編機又は横編機によって編成される編物であっても良い。なお、緯編ニットの場合は、縫製を必要としないで、一体化編成することも可能である。この編み機は、日本の島精機製作所の“ホールガーメント”という装置があり、これを用いて前身頃、後身頃及び袖を同時に編成し、無縫製ニット製品を製造できる。
【００３２】
さらに、イタリアのサントニ（ＳＡＮＴＯＮＩ）社のフルコンピュータ制御の“シームレス・ボディ・インナー編み機”と呼ばれる装置で強緊締素材、中緊締素材及び弱緊締素材の組み合わせをシームレスで筒状に編成し、身頃及び袖とすることも可能である。
【００３３】
前記織物または編物は、ポリウレタン糸等の伸縮性を有する弾性糸を少なくとも一部に使用しているものが好ましい。
【００３４】
前記弾性糸は、ポリウレタン系弾性糸及びポリエステル系弾性糸から選ばれる少なくとも一つであることが好ましい。ストレッチ性が高く、スポーツ衣料に適しているからである。前記弾性糸は、ベアヤーン（裸糸）又は表面にポリエステル繊維もしくはナイロン繊維が被覆されたカバードヤーンのどちらでも良い。
【００３５】
本発明のアンダーシャツは、野球のユニフォームの下に着るシャツに好適である。
【００３６】
高捲縮仮撚加工を施して伸縮性を持たせたポリエステル、ナイロン等の高捲縮仮撚加工糸を生地の少なくとも一部あるいは全部に使用した生地も可能である。また、単純に前記伸縮性のあるニットを複数枚数重ねて使用することも可能である。更に、前記伸縮性のあるニット生地どうしをラミネート加工して二層にした二層ラミネート生地、伸縮性のあるポリウレタンシートを前記伸縮性のあるニット生地ではさみ込みラミネート加工して三層にした三層ラミネート生地も使用可能である。
【００３７】
次に、生地素材に「強中弱」の緊締力を持たせ、強緊締素材、中緊締素材及び弱緊締素材とする方法としては、ポリウレタン糸、高捲縮仮撚加工糸（以下、伸縮糸とする。）の混率の「大中小」でそれぞれ生地素材に「強中弱」の緊締力を持たせることができる。混率に変化を与える方法としては、伸縮糸の太さを「太中細」と変えることで混率の「大中小」を出す方法、伸縮糸の太さは同じで生地中に配する割合を「多中少」と変えることで混率の「大中小」を出す方法がある。伸縮糸の混率が一定の場合に編密度を「密中疎」とかえることでも可能である。さらに、伸縮糸の種類を変えた生地を使用するか、ラミネート加工した生地とラミネート加工していない生地を用いるか、または同一の生地の重ねる枚数を変えることでも生地に「強中弱」の緊締力を持たせることが可能である。
【００３８】
強緊締素材、中緊締素材及び弱緊締素材における「強中弱」の緊締力は、一定加重時における生地の伸長率の大小で確認することができる。すなわち、緊締力の強い生地は伸長率が小さく、弱い生地は伸長率が大きい。
【００３９】
本発明において、緊締力とは、伸長に対する素材の抵抗力のことである。
【００４０】
ストレッチ性及び緊締力を表す伸長率の測定方法は、ＴＥＮＳＩＬＯＮ万能型引張試験機（ＵＴＭ−ＩＩＩ−２００、東洋ボールドウイン社製）を用い、引張強度を２０ｃｍ／分とし、試料生地の大きさは、巾が５ｃｍ、長さが３０ｃｍ、つかみ間隔が２０ｃｍとした。緊締力を測定する際の加重は、４．９Ｎ（５００ｇｆ）、ストレッチ性を測定する際の加重は、１７．７Ｎ（１５００ｇｆ）とした。以下、実施例の説明の際に用いる伸張率は、この測定方法による測定結果である。
【００４１】
本発明に係るアンダーシャツでは、前記強緊締素材、中緊締素材及び弱緊締素材を縫着又は接着によって一体化し、アンダーシャツを形成してもよい。
【００４２】
縫着方法としては、本縫い、環縫い、１本針オーバーロック、２本針オーバーロック、フラットシーマ等の縫目を形成するミシンで縫着する方法があげられるが、縫目の種類は特にこれらに限定されるものではない。ただ、縫目もストレッチ性を有し、着用時に違和感を感じにくい１本針オーバーロック、２本縫いオーバーロック、フラットシーマを採用するのが望ましい。
【００４３】
接着方法としては、一体化したい二種類の生地（部材）にのりしろを設け、熱によって融解し、冷却後生地に浸透して凝固するポリウレタン製の熱融解性のシームテープをのりしろの生地の間にはさみ、熱プレスすることで生地を接着できる熱圧着法があげられるが、縫着同様のりしろにストレッチ性をもたせ、着用時の違和感をなくすことが望ましい。
【００４４】
本発明においては、前記第１の種類の素材が、着用者の上腕三頭筋上端付近で終端し、着用者のひじが投球動作中に曲げられたときに伸長するように構成されているのが好ましい。
【００４５】
また、前記第３の種類の素材が、着用者の肩甲骨付近に位置し、肩を回しやすくさせるように構成されているのが好ましい。
【００４６】
また、前記第２の種類の素材が、着用者の肩甲骨付近を宛がう第３の種類の素材の領域の間を脊椎に沿って延在するように構成されていてもよい。
【００４７】
本発明のシャツは、野球のみならず、ゴルフ、テニス、バドミントン、スカッシュ、ホッケー、ジョギングなど別のスポーツにも適用できる。
【００４８】
【実施例】
以下、本発明に係るアンダーシャツの実施例を図１、図２を用いて説明する。
【００４９】
図１Ａは長袖シャツの正面図、図１Ｂは同じく背面図である。本実施例のアンダーシャツ１では、襟部分１１、前部分１２、後部分１３、脇部分１４、袖部分１５ａ、肩甲骨部分１６及び上腕三頭筋部分１７ａの部材でシャツが構成される。前記の部材のうち、脇部分１４、袖部分１５ａ、肩甲骨部分１６及び上腕三頭筋部分１７ａは左右両方に対称に配置される。本実施例では各部材は相互に縫着により一体化されシャツが形成される。縫着方法は、フラットシーマミシンを用い、針糸にポリエステルスパンライクフィラメント糸、上かがり糸と下かがり糸にウーリーナイロン糸を用いてフラットシーマの縫目で縫着した。
【００５０】
前記肩甲骨部分１６は弱緊締素材（図中では斜線部分で表示）で構成され、着用者の肩甲骨付近の僧帽筋外側部、広背筋上部、三角筋内側部の領域に配置される。弱緊締素材としては、繊度が６８デシテックス（ｄｔｅｘ）のポリエステルフィラメント糸と、繊度が２７デシテックス（ｄｔｅｘ）のポリウレタンベアヤーン使いのベア天竺組織で、混率はポリエステル８５重量％、ポリウレタン１５重量％、丸編機のゲージ数３２Ｇのものを用いた。緊締力を表す４．９Ｎ（５００ｇｆ）加重時の伸長率は１５０％、ストレッチ性を表わす１７．７Ｎ（１５００ｇｆ）加重時の伸長率は２４０％であった。単位面積当たりの重量（目付）は、１４３ｇ／ｍ２であった。
【００５１】
前記上腕三頭筋部分１７ａは強緊締素材（図中では黒点部分で表示）で構成され、着用者の上腕三頭筋から肘を経由して前腕に至る領域に配置される。なお強緊締素材を配置する上腕三頭筋部分の前腕の領域は、本実施例のように肘と手首（袖口）の間の形状に限らず、手首（袖口）付近まで強緊締素材を延在させてもよい。強緊締素材としては、繊度が１３６デシテックス（ｄｔｅｘ）のポリエステルフィラメント双糸と、繊度が６４デシテックス（ｄｔｅｘ）のポリウレタンベアヤーン使いのベア天竺組織で、混率はポリエステル８５重量％、ポリウレタン１５重量％、丸編機のゲージ数３０Ｇのものを用いた。緊締力を表す４．９Ｎ（５００ｇｆ）加重時の伸長率は３５％、ストレッチ性を表わす１７．７Ｎ（１５００ｇｆ）加重時の伸長率は９０％であった。単位面積当たりの重量（目付）は、３２０ｇ／ｍ２であった。
【００５２】
前記襟部分１１、前部分１２、後部分１３、脇部分１４及び袖部分１５ａは中緊締素材で構成される。中緊締素材としては、繊度が６８デシテックス（ｄｔｅｘ）のポリエステルフィラメント糸と、繊度が３６デシテックス（ｄｔｅｘ）のポリウレタンベアヤーン使いのベア天竺組織で、混率はポリエステル８５重量％、ポリウレタン１５重量％、丸編機のゲージ数３０Ｇのものを用いた。緊締力を表す４．９Ｎ（５００ｇｆ）加重時の伸長率は７０％、ストレッチ性を表わす１７．７Ｎ（１５００ｇｆ）加重時の伸長率は１９０％であった。単位面積当たりの重量（目付）は、１９０ｇ／ｍ２であった。
【００５３】
本実施例において、「ほぼ密着」の状態を作るため、人体の裸のサイズに対して、周囲方向は８０％、丈は９０〜９５％を目安に作製した。
【００５４】
本実施例のアンダーシャツ１では前記のように、肩甲骨部分１６には弱緊締素材を配置するので、着用者が投球時に肩を回す際に、肩甲骨の移動に付随する僧帽筋外側部、広背筋上部及び三角筋内側部の領域の筋肉の移動がスムーズになり、肩を回しやすく、図３Ａに示した投球のトップが造りやすくなる。
【００５５】
上腕三頭筋部分には強緊締素材を配置するので、図３Ｂに示した上腕の最大外旋位までは生地素材が肘の出っ張りを支点に伸長された後、伸長した生地素材が収縮しようとする力が前腕を加速しようとする力、すなわち図３Ｂに示す状態から図３Ｃに示す状態に移行する際に上腕三頭筋が縮もうとする力に相乗され前腕の動きを助ける働きをする。また同時に強緊締素材に起因する衣服圧によって、上腕三頭筋が刺激を受け活性化し、腕を振り易くなる効果も得ることができる。
【００５６】
図２Ａは半袖シャツの正面図、図２Ｂは同じく背面図である。
【００５７】
本実施例は図１Ａ−図１Ｂに示した長袖シャツの実施例と比べて、袖部分１５ｂと上腕三頭筋部分１７ｂとが半袖の仕様になっただけであり、用いる素材、縫製方法等は図１の実施例で説明したところと同様である。
【００５８】
図１Ａ−図１Ｂに示した実施例は長袖シャツであり、強緊締素材を配置する部分が、着用者の上腕三頭筋から肘を経由して前腕に至る領域であったのに対して、図２Ａ−図２Ｂに示す実施例は半袖シャツであり、強緊締素材を配置する領域が着用者の上腕三頭筋の部分のみ、すなわち半袖シャツの袖口部分までである。従って長袖シャツに比べて、前腕の動きを助ける強緊締素材が収縮しようとする力は弱くなってしまうが、強緊締素材に起因する衣服圧によって上腕三頭筋が刺激を受け活性化し、腕が振りやすくなる効果は、長袖シャツと同様に得ることができる。
【００５９】
前記の各実施例では、左右両方に強緊締素材及び弱緊締素材を配置した。着用者が打撃動作を行う際は左右両方に配置した方が有効だが、投球動作に限定した場合は、着用者の利腕、すなわち投球するほうの腕側にだけ、強緊締素材及び弱緊締素材を配置しても良い。
【００６０】
前記の各実施例では、襟部分１１、前部分１２、後部分１３、脇部分１４、袖部分１５ａ、１５ｂ、肩甲骨部分１６及び上腕三頭筋部分１７ａ、１７ｂの部材でシャツを構成したが、前記の各領域に前記の各緊締力の生地素材が配置されていれば、各領域の形状はこれに限定されるものではない。
【００６１】
肩甲骨部分１６及び上腕三頭筋部分１７ａ、１７ｂの幅や大きさは、本発明の目的が達成される範囲であれば、必要に応じて任意に変形できる。
【００６２】
また、襟部の形状も、図示したものに限らず、所謂ハイネック、タートルネック等必要に応じて任意に変形できる。
【００６３】
図１Ａ−図１Ｂ及び図２Ａ−図２Ｂは、着用状態に近似させて立体的に表現したものではあるが、着用者の体型等によって、多少の形状の変化はある。
【００６４】
【発明の効果】
以上説明したとおり、本発明のアンダーシャツは、肩甲骨部分には弱緊締素材を配置するので、着用者が投球時に肩を回す際に、肩甲骨の移動に付随する僧帽筋外側部、広背筋上部及び三角筋内側部の領域の筋肉の移動がスムーズになり、肩を回しやすく投球のトップが造りやすくなる。
【００６５】
上腕三頭筋部分には強緊締素材を配置するので、投球時に、上腕の最大外旋位までは生地素材が肘の出っ張りを支点に伸長された後、伸長した生地素材が収縮しようとする力が前腕を加速しようとする力、すなわち上腕三頭筋が縮もうとする力に相乗され前腕の動きを助ける働きをする。また同時に強緊締素材に起因する衣服圧によって、上腕三頭筋が刺激を受け活性化し、腕を振り易くなる。
【００６６】
半袖シャツとした場合は、強緊締素材を配置する領域が上腕三頭筋の部分のみ、すなわち半袖シャツの袖口部分までとなるので、前腕の動きを助ける強緊締素材が収縮しようとする力は弱くなってしまうが、強緊締素材に起因する衣服圧によって上腕三頭筋が刺激を受け活性化し、腕が振りやすくなる。
【図面の簡単な説明】
【図１】Ａは本発明に係るアンダーシャツの実施例（長袖）の正面図、Ｂは同じく背面図である。
【図２】Ａは本発明に係るアンダーシャツの実施例（半袖）の正面図、Ｂは同じく背面図である。
【図３】Ａは投球のトップ（ボールを握った手が最も高い所に来る）の位置を示す解説図であり、Ｂは上腕の最大外旋位（上腕三頭筋が最大伸びた状態）を示す解説図であり、Ｃはボールを離し投球するリリース位置を示す解説図である。
【図４】本発明に関係する骨格と筋肉との解説図であり、人体後側から見た図である。
【符号の説明】
１　　アンダーシャツ
１１　襟部分
１２　前部分
１３　後部分
１４　脇部分
１５ａ　袖部分（長袖）
１５ｂ　袖部分（半袖）
１６　肩甲骨部分
１７ａ上腕三頭筋部分（長袖）
１７ｂ上腕三頭筋部分（半袖）
７０　肩甲骨
７１　僧帽筋外側部
７２　後輩筋上部
７３　三角筋内側部
７４　上腕三頭筋
【図１】
2004044070.tif 000003
【図２】
2004044070.tif 000004
【図３】
2004044070.tif 000005
【図４】
2004044070.tif 000006